(57)【要約】【課題】筐体内方に窪んだ側板やそれに固定した接続部に結露した凝縮水等が前記側板下面部に集められる構成であり、凝縮水が室外ユニットの底面を構成する室外基板内に導かれず、水漏れして筐体外部の設置面等を濡らすという課題があった。【解決手段】分離型空気調和機の室外ユニットにおいて、側方部の窪み部に内外接続配管を接続する接続部を設け、窪んだ側板１１６の下面部１１７に室外基板１０２に連通する排水部１１８を形成することによって、凝縮水等を室外基板１０２内に導くものである。【選択図】  図１
2004251586.tif 000002
【特許請求の範囲】
【請求項１】
室内ユニットと室外ユニットとを接続配管により連結して構成される分離型空気調和機であって、前記室外ユニットは前記接続配管を接続する接続部を有するとともに、この接続部が固定されている前記室外ユニットの側板は筐体内方に窪んで構成されており、この窪み部の下面部から、前記室外ユニットの底面を構成する室外基板に連通する排水部が構成されていることを特徴とする分離型空気調和機。
【請求項２】
窪み部は、下面部に凝縮水等を排水部に集めるように傾斜部を有することを特徴とする請求項１記載の分離型空気調和機。
【請求項３】
窪み部は、室外ユニット筐体の側面角部に面して室外ユニットの左側または右側または背面側のいずれか一方の側面部に構成されているとともに、この側面角部は角部を形成する室外ユニット筐体の２側面に対して傾斜したテーパ部を有することを特徴とする請求項１〜２のいずれか一項に記載の分離型空気調和機。
【請求項４】
室外ユニットは少なくとも接続部を覆う接続部カバーを有し、排水部は前記接続部カバーの内面側を伝う凝縮水等も受けるように誘導部を有して構成されていること特徴とする請求項１〜３のいずれか一項に記載の分離型空気調和機。
【発明の詳細な説明】
【０００１】
【発明の属する技術分野】
本発明は、室内ユニットと室外ユニットとを接続配管により連結して構成される分離型空気調和機に関するものである。
【０００２】
【従来の技術】
従来の分離型空気調和機としては、室内ユニットと室外ユニットとを接続配管により連結する接続部が筐体内方に窪んで構成されているものがあった（例えば、特許文献１参照）。図６および図７は、特許文献１に記載された従来の分離型空気調和機を示すものである。
【０００３】
同図において、室外ユニット１００の筐体１０１の内部は室外基板１０２の上に設立した仕切板１０３によって左右に仕切られ、その一方は熱交換室１０４と他方に機械室１０５が形成されている。
【０００４】
また、熱交換室１０４内にはＬ字形の熱交換器１０６、送風機１０７、駆動用のモータ１０８が配設されている。このＬ字形の熱交換器１０６は、筐体１０１の背面１０１ａに形成された空気取入口１０９及び左側面１０１ｂに形成された空気取入口１１０に対候せしめられている。また、送風機１０７は筐体１０１の前面パネル１０１ｃに形成された吹出口１１１に臨むように配設されている。
【０００５】
また、機械室１０５内には圧縮機１１２の他、図示しない電源箱、アキュームレータ、四方切換弁、膨張弁等が配設されている。
【０００６】
また、送風機１０７を駆動用のモータ１０８によって回転駆動すると、外気が空気取入口１０９および１１０から熱交換器１０６内に吸入され、熱交換器１０６を流過する過程で冷媒と熱交換することによって昇温または、降温した後、送風機１０７に付勢されて吹出口１１１から外部に排出される。
【０００７】
また、筐体１０１の右側面１０１ｄには図示しない室内ユニットと室外ユニット１００を連結する接続配管１１２および１１３を接続する接続部１１４および１１５が筐体１０１内方に窪んで構成された側板１１６に設けられていた。
【０００８】
【特許文献１】
特開平７−９１６８９号公報（図１等）
【０００９】
【発明が解決しようとする課題】
しかしながら、上記従来の構成では、筐体内方に窪んだ側板やそれに固定した接続部に結露した凝縮水等が前記側板下面部に集められるように構成されており、凝縮水等が室外ユニットの底面を構成する室外基板に導かれず、筐体外部に水漏れして据付設置面等を濡らす可能性があるという課題を有していた。
【００１０】
本発明はこのような従来の課題を解決するものであり、水だれによる据え付け面の濡れを未然に防止するとともに、据付性のよい分離型空気調和機を提供することを目的とする。
【００１１】
【課題を解決するための手段】
上記従来の課題を解決するために、本発明の請求項１に記載の分離型空気調和機は、筐体内方に窪んで構成された側板の下面部に室外基板に連通する排水部を有し、凝縮水等を室外基板内に導くものである。
【００１２】
本構成によって、窪んで構成された側板やそれに固定された接続部に結露した凝縮水等は側板下面部に設けられた室外基板に連通する排水部より室外基板内に導くことができる。
【００１３】
また、請求項２に記載の発明は、上記側板の下面部に凝縮水等を排出部に集めるように傾斜部を有し、凝縮水等を集積しやすくするものである。
【００１４】
本構成によって、窪んで構成された側板やそれに固定された接続部に結露した凝縮水等は側板下面部に設けられた傾斜部によって集積され室外基板に連通する排水部より室外基板内に導くことができる。
【００１５】
さらに、請求項３に記載の発明は、側面角部を室外ユニット筐体の２側面に対して傾斜したテーパ部を有し、接続部に接続した接続配管を背面に引き廻すものである。
【００１６】
本構成によって、接続配管は側面角部を室外ユニット筐体の２側面に対して傾斜したテーパ部に沿って、背面に無理なく、省スペースに優美に引き廻すことができる。
【００１７】
加えて、請求項４に記載の発明は、接続部を覆う接続部カバーの内面側を伝う凝縮水等を受けるように上記側板の下面部に設けられた室外基板に連通する排水部に誘導部を有し、接続部カバーに設けた導水部の下方に位置する誘導部へ直接導くものである。
【００１８】
本構成によって、接続部カバーの内面側に伝う凝縮水等が導水部下方の誘導部に集積され室外基板内に導くことができる。
【００１９】
【発明の実施の形態】
以下本発明の実施の形態について、図面を参照しながら説明する。
【００２０】
（実施の形態１）
図１は、本発明の実施の形態１における分離型空気調和機の斜視図で、図２は、横断平面図である。図１および図２において、従来の技術の図６および図７と同じ構成要素については同じ符号を用い、説明を省略する。
【００２１】
図１および図２において、室外ユニット１００の筐体１０１内方に窪んで構成された側板１１６に固定された接続部１１４および１１５は接続配管１１２および１１３に接続される。前記側板１１６の下面部１１７には室外基板１０２に連通する排水部１１８が形成され、前記排水部１１８に開口した複数個の排水穴１１９より前記室外基板１０２内へと凝縮水等を導くことができる。
【００２２】
（実施の形態２）
図３は、本発明の実施の形態２における分離型空気調和機の斜視図である。図３において、図１および図２、図６、図７と同じ構成要素については同じ符号を用い、説明を省略する。
【００２３】
図３において、窪んで構成された側板１１６の下面部１１７に傾斜部１２０を形成し、前記側板１１６や前期側板１１６に固定された接続部１１４および１１５に結露した凝縮水等を前記傾斜部１２０で導き集積させ前記傾斜部１２０の下面の排出部１１８に開口した複数個の排出穴１１９より室外基板１０２内へと凝縮水等を導くことができる。
【００２４】
（実施の形態３）
図４は、本発明の実施の形態３における分離型空気調和機の斜視図である。図４において、図１および図２、図３、図６、図７と同じ構成要素については同じ符号を用い、説明を省略する。
【００２５】
図４において、窪んで構成された側板１１６は、室外ユニット１００の筐体１０１の側面角部に面して前記室外ユニット１００の左側または右側または背面側のいずれか一方の側面部に構成されているとともに、角部を形成する前記室外ユニット１００の２側面に対して傾斜したテーパ部１２１を形成し、前記側板１１６に固定した接続部１１４および１１５に接続した図示しない室内ユニットと前記室外ユニット１００とを連結する接続配管１１２および１１３を傾斜した前記テーパ部１２１に添って背面開口１２２より前記筐体１０１の背面１０１ａに無理なく、省スペースに優美に引き廻すことができる。
【００２６】
（実施の形態４）
図５は、本発明の実施の形態４における分離型空気調和機の右側面の部分斜視図である。図５において、図１および図２、図３、図４、図６、図７と同じ構成要素については同じ符号を用い、説明を省略する。
【００２７】
図５において、窪んで構成された側板１１６および接続部１１４および１１５を覆う接続部カバー１２３の内面側を伝う凝縮水等を前記接続部カバー１２３に形成した水受け部１２４に集め前記水受け部１２４に設けた導水部１２５の下方に位置する前記側板１１６の下面部１１７に構成した排水部１１８にさらに深く絞った誘導部１２６で凝縮水等を集積させ前記誘導部１２６に開口した複数個の排水穴１２７より室外基板１０２内へと凝縮水等を導くことができる。
【００２８】
【発明の効果】
上記から明らかなように、本発明は、筐体内方に窪んで構成された接続部を固定する側板の下面部に室外基板に連通する排水部を設けるもので、この構成によれば、筐体内方に窪んで構成された側板やそれに固定された接続部に結露した凝縮水等を確実に室外基板内に導くことができ、筐体外部の据付設置面を濡らさないという効果を奏する。
【００２９】
また、本発明は、室外ユニット筐体内方に窪んで構成された接続部を固定する側板の下面部に凝縮水等を排水部に集めるように傾斜を形成した傾斜部を有するもので、この構成によれば、凝縮水等を確実に排水部に導くことができ、筐体外部の据付設置面を濡らさないという効果を奏する。
【００３０】
さらに、本発明は、室外ユニット筐体内方に窪んで構成された接続部を固定する側板は、室外ユニット筐体の側面角部に面して室外ユニットの左側または右側または背面側のいずれか一方の側面部に構成されているとともに、この側面角部は角部を形成する室外ユニット筐体の２側面に対して傾斜したテーパ部を有するもので、この構成によれば、室内ユニットと室外ユニットとを連結する接続配管を傾斜したテーパ部に沿って導出させることができ接続配管を背面側に引き廻す据付設置において無理なく、省スペースに優美に設置できるという効果を奏する。
【００３１】
加えて、本発明は、接続部を覆う接続部カバーの内面側を伝う凝縮水等も受けるように排水部に誘導部を有するもので、この構成によれば、接続部カバーの内面側を伝う凝縮水等を確実に誘導部に導き室外基板内へと導くことができ、筐体外部の据付設置面を濡らさないという効果を奏する。
【図面の簡単な説明】
【図１】本発明の第１の実施形態を示す分離型空気調和機の斜視図
【図２】同一実施形態の分離型調和機の横断平面図
【図３】本発明の第２の実施形態を示す分離型空気調和機の斜視図
【図４】本発明の第３の実施形態を示す分離型空気調和機の斜視図
【図５】本発明の第４の実施形態を示す分離型空気調和機の右側面の部分斜視図
【図６】従来の分離型空気調和機の斜視図
【図７】従来の分離型空気調和機の横断平面図
【符号の説明】
１１６  窪んで構成された側板
１１８  排水部
１１９  排水穴
１２０  傾斜部
１２１  テーパ部
１２２  背面開口
１２３  接続部カバー
１２４  水受け部
１２５  導水部
１２６  誘導部
１２７  排水穴
【図１】
2004251586.tif 000003
【図２】
2004251586.tif 000004
【図３】
2004251586.tif 000005
【図４】
2004251586.tif 000006
【図５】
2004251586.tif 000007
【図６】
2004251586.tif 000008
【図７】
2004251586.tif 000009